(57)【特許請求の範囲】
【請求項１】
装置本体の第１の面と対向する第１の利用者に対して情報を表示する第１のポジションと前記装置本体の前記第１の面とは異なる第２の面と対向する第２の利用者に対して情報を表示する第２のポジションとの間を表示面が自在に移動する表示器と、
前記表示面が前記第１のポジションと前記第２のポジションのどちらに位置しているかを検出する位置センサと、
前記第１または第２の利用者が所在するか否かを検知する人感センサと、
広告用画面の種類別に当該広告用画面を前記表示器に表示させる時間帯を記憶する表示時間帯テーブルと、
時刻を計時する時計部と、
前記時計部で計時される時刻が前記表示時間帯テーブルにて広告用画面の種類別に記憶されているいずれかの時間帯に含まれるときフラグをセットし、いずれの時間帯にも含まれないとき前記フラグをリセットするフラグ処理手段と、
前記位置センサにより検出される前記表示面のポジションが前記第１のポジションのときには当該第１のポジションに応じた画面を編集し、前記第２のポジションのときには前記時計部で計時される時刻が含まれる時間帯の広告用画面を編集する画面編集手段と、
前記位置センサにより前記表示面が前記第１のポジションに位置していることが検出されかつ前記人感センサにより前記第１の利用者が所在していることが検出されると、前記画面編集手段により編集された前記第１のポジションに応じた画面を前記表示面に表示させ、前記位置センサにより前記表示面が前記第２のポジションに位置していることが検出されかつ前記人感センサにより前記第２の利用者が所在していることが検出されると、前記フラグがセットされていることを条件に、前記画面編集手段により編集された前記広告用画面を前記表示面に表示させ、前記人感センサにより前記第１の利用者の所在が検出されなくなると前記第１のポジションに応じた画面を消去し、前記人感センサにより前記第２の利用者の所在が検出されなくなると前記第１のポジションに応じた画面を消去するときよりも時間をかけて前記広告用画面を消去する表示制御手段と、
を具備したことを特徴とする表示装置。
【請求項２】
前記第１のポジションに応じた画面は、決済用画面であることを特徴とする請求項１に記載の表示装置。
【請求項３】
装置本体の第１の面と対向する第１の利用者に対して情報を表示する第１のポジションと前記装置本体の前記第１の面とは異なる第２の面と対向する第２の利用者に対して情報を表示する第２のポジションとの間を表示面が自在に移動する表示器を備えたコンピュータに、
前記表示面が前記第１のポジションと前記第２のポジションのどちらに位置しているかを検出する位置センサの検出信号を入力する機能と、
前記第１または第２の利用者が所在するか否かを検知する人感センサの検出信号を入力する機能と、
時計部で計時される時刻が、表示時間帯テーブルにて広告用画面の種類別に記憶されているいずれかの時間帯に含まれるときフラグをセットし、いずれの時間帯にも含まれないとき前記フラグをリセットする機能と、
前記位置センサの検出信号から特定される前記表示面のポジションが前記第１のポジションのときには当該第１のポジションに応じた画面を編集し、前記第２のポジションのときには前記時計部で計時される時刻が含まれる時間帯の広告用画面を編集する機能と、
前記位置センサの検出信号から前記表示面が前記第１のポジションに位置していることが特定されかつ前記人感センサの検出信号から前記第１の利用者が所在していることが特定されると、前記画面編集機能により編集された前記第１のポジションに応じた画面を前記表示面に表示させ、前記位置センサの検出信号から前記表示面が前記第２のポジションに位置していることが特定されかつ前記人感センサの検出信号から前記第２の利用者が所在していることが特定されると、前記フラグがセットされていることを条件に、前記画面編集機能により編集された前記広告用画面を前記表示面に表示させ、前記人感センサにより前記第１の利用者の所在が検出されなくなると前記第１のポジションに応じた画面を消去し、前記人感センサにより前記第２の利用者の所在が検出されなくなると前記第１のポジションに応じた画面を消去するときよりも時間をかけて前記広告用画面を消去する機能と、
を実現させるための制御プログラム。
【発明の詳細な説明】
【技術分野】
【０００１】
本発明の実施形態は、装置本体の周囲に居る少なくとも二人の利用者に対して情報を交互に表示するように２ポジション間を移動可能な表示器を備えた表示装置及びその制御プログラムに関する。
【背景技術】
【０００２】
装置本体を挟んで対峙する二人の利用者が交互に表示内容を見られるように、表示面を一方の利用者と対向する第１のポジションと他方の利用者と対向する第２のポジションとの間で移動可能とした表示装置がある。このような表示装置は、例えば店舗の決済端末として利用される。すなわち、店員が決済業務で使用するときには、表示面を店員側に向けて決済業務用の画面を表示させ、決済業務で使用しないときには、表示面を客側に向けて例えば広告用の情報、店舗案内図等の情報を表示するサイネージ画面を表示させる。
【０００３】
この種の表示装置において、表示面が店員側を向いているのか客側を向いているのかを検出手段で検出し、店員側を向いているときには店員が見るべき内容が表示され、客側を向いているときには客が見るべき内容が表示されるように、画面を自動的に切り換えるようにしたものは知られている。
【先行技術文献】
【特許文献】
【０００４】
【特許文献１】特開２００３−０４３９７８号公報
【発明の概要】
【発明が解決しようとする課題】
【０００５】
しかしながら、従来の表示装置は、表示面の向きによって表示内容を自動的に切り換えることはできるものの、利用者が利用しないにも拘らず画面を表示しているために無駄なエネルギーが消費されている懸念がある。
【０００６】
そこで、本発明が解決しようとする課題は、利用者が利用しないときには画面表示によるエネルギーの無駄な消費を抑えることで省電力化を図ることができる表示装置を提供しようとするものである。
【課題を解決するための手段】
【０００７】
一実施形態において、表示装置は、表示器と、位置センサと、人感センサと、表示時間帯テーブルと、時計部と、フラグ処理手段と、画面編集手段と、表示制御手段とを備える。表示器は、装置本体の第１の面と対向する第１の利用者に対して情報を表示する第１のポジションと、装置本体の第１の面とは異なる第２の面と対向する第２の利用者に対して情報を表示する第２のポジションとの間を表示面が自在に移動する。位置センサは、表示面が第１のポジションと第２のポジションのどちらに位置しているかを検出する。人感センサは、第１または第２の利用者が所在するか否かを検知する。表示時間帯テーブルは、広告用画面の種類別に当該広告用画面を表示器に表示させる時間帯を記憶する。時計部は、時刻を計時する。フラグ処理手段は、時計部で計時される時刻が表示時間帯テーブルにて広告用画面の種類別に記憶されているいずれかの時間帯に含まれるときフラグをセットし、いずれの時間帯にも含まれないときフラグをリセットする。画面編集手段は、位置センサにより検出される表示面のポジションが第１のポジションのときには当該第１のポジションに応じた画面を編集し、第２のポジションのときには時計部で計時される時刻が含まれる時間帯の広告用画面を編集する。表示制御手段は、位置センサにより表示面が第１のポジションに位置していることが検出されかつ人感センサにより第１の利用者が所在していることが検出されると、画面編集手段により編集された第１のポジションに応じた画面を表示面に表示させ、位置センサにより表示面が第２のポジションに位置していることが検出されかつ人感センサにより第２の利用者が所在していることが検出されると、フラグがセットされていることを条件に、前記画面編集手段により編集された広告用画面を表示面に表示させ、人感センサにより第１の利用者の所在が検出されなくなると第１のポジションに応じた画面を消去し、人感センサにより第２の利用者の所在が検出されなくなると第１のポジションに応じた画面を消去するときよりも時間をかけて広告用画面を消去する。
【図面の簡単な説明】
【０００８】
【図１】一実施形態である決済装置の利用者がオペレータのときの使用状態を示す外観斜視図。
【図２】同決済装置の利用者が客のときの使用状態を示す外観斜視図。
【図３】図２に示す使用状態を装置本体の背面側から見た外観斜視図。
【図４】同決済装置における制御部の要部構成を示すブロック図。
【図５】第１の実施形態において、ＣＰＵが実行するプログラム制御手順の主要部を示す流れ図。
【図６】図５における客側処理を具体的に示す流れ図。
【図７】第２の実施形態において、決済装置のＲＡＭに形成される主要なメモリエリアを示す模式図。
【図８】同第２の実施形態において、ＣＰＵが実行するタイマ割込処理の手順を示す流れ図。
【図９】同第２の実施形態において、ＣＰＵが実行する客側処理の手順を示す流れ図。
【図１０】第３の実施形態において、ＣＰＵが実行する客側処理の手順を示す流れ図。
【発明を実施するための形態】
【０００９】
以下、表示装置の実施形態について、図面を用いて説明する。なお、この実施形態は、表示装置を、店舗で用いられる決済装置１に適用した場合である。
【００１０】
（第１の実施形態）
第１の実施形態は、装置本体の第１の面と対向する第１の利用者に対して情報を表示する第１のポジションと、装置本体の第１の面とは異なる第２の面と対向する第２の利用者に対して情報を表示する第２のポジションとの間を表示面が自在に移動する表示器の表示面が第１のポジションに位置しているとき、第１の利用者が所在する場合に第１または第１のポジションに応じた画面を表示面に表示させ、所在しない場合には同画面を表示させない。また、表示面が第２のポジションに位置しているときには、第２の利用者が所在する場合に第２のポジションに応じた画面を表示面に表示させ、所在しない場合には同画面を表示させない。このように、第１の実施形態は、利用者が所在しないときには画面表示を行わないことで、省電力化を図るものである。
【００１１】
初めに、決済装置１の外観構成を、図１〜図３を用いて説明する。決済装置１は、装置本体１１と、この装置本体１１の上部に設置された表示パネル１２とを備えている。装置本体１１は、後述する制御部２０を内蔵している。また、装置本体１１は、レシート印字用のプリンタ３０も内蔵しており、このプリンタによって印字されたレシートを、装置本体１１の手前側に形成されたレシート発行口１１１から発行する。
【００１２】
表示パネル１２としては、バックライト式の液晶タッチパネルが用いられている。すなわち表示パネル１２は、液晶ディスプレイ１２１が有する矩形状の表示面１２２の上に、入力操作用のタッチパネル１２３（図４を参照）を重ねて配置する。また、表示面１２２の裏側に、表示面１２２を裏側から照射するためのバックライト１２４（図４を参照）を配置する。
【００１３】
表示パネル１２は、図１に示すように、装置本体１１の上面において、手前側が低く（奥側が高く）傾斜する角度で取り付けられている。そして、図１の状態から、表示パネル１２の手前側の縁を手で持って上に持ち上げることにより、表示パネル１２は、装置本体１１に対して、図２または図３に示す位置まで回動自在となっている。
【００１４】
表示パネル１２が図１に示す状態の第１のポジションにあるとき、装置本体１１の手前側に立つオペレータとしての店員は、表示面１２２に表示される画像を視認することができる。また、表示パネル１２が図２または図３に示す状態の第２のポジションにあるとき、装置本体１１を挟んで店員と対峙する客は、表示面１２２に表示される画像を視認することができる。
【００１５】
ここに、表示パネル１２は、装置本体１１の第１の面（手前側の面）と対向する第１の利用者（店員）に対して情報を表示する第１のポジションと、装置本体１１の第１の面とは異なる第２の面（奥側の面）と対向する第２の利用者（客）に対して情報を表示する第２のポジションとの間を表示面１２２が自在に移動する表示器を構成する。
【００１６】
決済装置１は、図３に示すように、表示パネル１２の表示面１２２とは反対側の裏面に位置センサ１３を設けている。位置センサ１３は、装置本体１１の上面に設けた突起１３１が表示パネル１２の裏面に穿設した孔１３２に挿入されたときオフし、前記突起１３１が前記孔１３２から抜脱されるとオンする。つまり、表示パネル１２が図１に示す第１のポジションに位置しているとき、位置センサ１３はオンする。また、表示パネル１２が図２または図３に示す第２のポジションに位置しているとき、位置センサ１３はオフする。
【００１７】
ここに、位置センサ１３は、表示パネル１２の表示面１２２が第１のポジションと第２のポジションのどちらに位置しているのかを検出する。
【００１８】
このような位置センサ１３としては、例えば光学式センサが用いられる。なお、表示パネル１２が第１のポジションに位置しているときオフし、第２のポジションに位置しているときオンするようにしてもよい。また、表示パネル１２の回動角度を検出する、いわゆる角度センサを位置センサ１３として用いてもよい。要は、表示パネル１２の表示面１２２が第１のポジションと第２のポジションのどちらに位置しているのかを検出できればよい。
【００１９】
決済装置１は、図１，図２に示すように、表示パネル１２の表示面１２２と同一の面に人感センサ１４を設けている。人感センサ１４は、例えば赤外線を出射し、その反射光を受光して、人間の所在を検知する。したがって、表示パネル１２が図１に示す第１のポジションに位置しているとき、オペレータである店員が決済業務のために装置本体１１の手前側に立つと、人感センサ１４によって当該店員が検知される。また、表示パネル１２が図２または図３に示す第２のポジションに位置しているとき、客が装置本体１１の奥側に立つと、人感センサ１４によって当該客が検知される。
【００２０】
ここに、人感センサ１４は、装置本体１１の第１の面（手前側の面）と対向する第１の利用者（店員）または装置本体１１の前記第１の面とは異なる第２の面（奥側の面）と対向する第２の利用者（客）が所在するか否かを検知する。
【００２１】
なお、人感センサ１４は、赤外線を用いるものに限定されるものではない。超音波や可視光などを用いる人感センサを適用してもよい。また、焦電型センサを利用して人が発する赤外線を検知して人間の所在を検知するものであってもよい。また、人感センサ１４を設ける位置は、表示パネル１２の表示面１２２と同一の面に限定されるものではない。例えば、装置本体１１の手前側の面と奥側の面とにそれぞれ人感センサを設け、後述する制御部２０に検知出信号が並列に入力されるようにしてもよい。要は、装置本体１１の第１の面（手前側の面）と対向する第１の利用者（店員）または装置本体１１の前記第１の面とは異なる第２の面（奥側の面）と対向する第２の利用者（客）が所在するか否かを検知できればよい。
【００２２】
図４は、装置本体１１に内蔵される制御部２０の要部構成を示すブロック図である。制御部２０は、制御の中枢を担うＣＰＵ（Central Processing Unit）２１に、アドレスバス，データバス等のバスラインＢＬを介して、ＲＯＭ（Read Only Memory）２２、ＲＡＭ（Random Access Memory）２３、時計部２４、通信インターフェース２５、タッチパネルコントローラ２６、表示コントローラ２７，プリンタコントローラ２８及び入力ポート２９を接続してなる。
【００２３】
ＲＯＭ２２は、プログラム等の固定的データを記憶する。ＲＡＭ２３は、ディスプレイ１２１への表示データや種々の状態を示すフラグなどの可変的データを記憶する。時計部２４は、現在の日付及び時刻を計時する。通信インターフェース２５は、ＬＡＮ（Local Area Network）等の通信回線を介して接続される上位機とのデータ通信を司る。タッチパネルコントローラ２６は、前記タッチパネル１２３を制御し、タッチ位置のデータを取り込む。表示コントローラ２７は、前記ディスプレイ１２１の表示面１２２に表示データの画像を表示させる。また、表示コントローラ２７は、バックライト１２４の点灯オン，オフを制御する。プリンタコントローラ２８は、プリンタ３０の印字動作を制御する。入力ポート２９は、前記位置センサ１３と人感センサ１４の各検出信号をそれぞれ入力する。
【００２４】
ＣＰＵ２１は、ＲＯＭ２２に記憶された制御プログラムに従い、図５及び図６の流れ図に示す手順で表示パネル１２を制御する。制御プログラムは、決済装置１の電源オンにより常駐する。
【００２５】
制御プログラムが開始されると、ＣＰＵ２１は、タイマカウンタＴを“０”にリセットする（ＳＴ１）。上記タイマカウンタＴは、ＲＡＭ２３に形成されている。  
次に、ＣＰＵ２１は、入力ポート２９を検索して、位置センサ１３の検出信号を入力する（ＳＴ２）。そして、位置センサ１３の検出信号により、表示パネル１２が図１に示す第１のポジションに位置しているか図２及び図３に示す第２のポジションに位置しているのかを判別する（ＳＴ３）。
【００２６】
表示パネル１２が第１のポジションに位置していると判別された場合（ＳＴ３のＹＥＳ）、ＣＰＵ２１は、ステップＳＴ４以降の店員側処理を実行する。先ず、ＣＰＵ２１は、ＲＡＭ２３の画像バッファを利用して、店員が見るべき店員用画面、例えば決済用画面を編集する（ＳＴ４：画面編集手段）。また、ＣＰＵ２１は、入力ポート２９を検索して、人感センサ１４の検出信号を入力する（ＳＴ５）。そして、人感センサ１４の検出信号により、表示面１２２に対峙する人間の所在が検知されている否かを判別する（ＳＴ６）。
【００２７】
人間の所在が検知されている場合（ＳＴ６のＹＥＳ）、ＣＰＵ２１は、画像バッファに展開された店員用画面をディスプレイ１２１に表示させる（ＳＴ７：表示制御手段）。また、バックライト１２４を点灯させる（ＳＴ８）。
【００２８】
しかる後、ＣＰＵ２１は、タイマカウンタＴをチェックする（ＳＴ９）。タイマカウンタＴが“０”にリセットされていた場合（ＳＴ９のＮＯ）、ＣＰＵ２１は、ステップＳＴ２の処理に制御を戻す。そして、ステップＳＴ２以降の処理を再度実行する。
【００２９】
これに対し、タイマカウンタＴが“１”以上にカウントアップされていた場合には（ＳＴ９のＹＥＳ）、ＣＰＵ２１は、ステップＳＴ１の処理に制御を戻す。そして、タイマカウンタＴを“０”にリセットした後、ステップＳＴ２以降の処理を再度実行する。
【００３０】
一方、ステップＳＴ６において、表示面１２２に対峙する人間の所在が検知されていない場合には（ＳＴ６のＮＯ）、ＣＰＵ２１は、タイマカウンタＴをカウントアップする（ＳＴ１０）。そして、タイマカウンタＴが“１”以上の整数である所定値Ｘと一致するか否かを判断する（ＳＴ１１）。タイマカウンタＴが所定値Ｘと一致しない場合（ＳＴ１１のＮＯ）、ＣＰＵ２１は、ステップＳＴ２の処理に制御を戻す。そして、ステップＳＴ２以降の処理を再度実行する。
【００３１】
これに対し、タイマカウンタＴが所定値Ｘと一致した場合には（ＳＴ１１のＹＥＳ）、ＣＰＵ２１は、店員用画面を消去させる（ＳＴ１２：表示制御手段）。また、バックライト１２４を消去させる（ＳＴ１３）。しかる後、ＣＰＵ２１は、ステップＳＴ２の処理に制御を戻す。そして、ステップＳＴ２以降の処理を再度実行する。
【００３２】
ステップＳＴ３において、位置センサ１３の検出信号により、表示パネル１２が第２のポジションに位置していると判別された場合には（ＳＴ３のＮＯ）、ＣＰＵ２１は、図６に具体的に示す客側処理を実行する。
【００３３】
先ず、ＣＰＵ２１は、ＲＡＭ２３の画像バッファを利用して、客に表示すべき内容の客用画面、例えば広告用のサイネージ画面を編集する（ＳＴ２１：画面編集手段）。また、ＣＰＵ２１は、入力ポート２９を検索して、人感センサ１４の検出信号を入力する（ＳＴ２２）。そして、人感センサ１４の検出信号により、表示面１２２に対峙する人間の所在が検知されている否かを判別する（ＳＴ２３）。
【００３４】
人間の所在が検知されている場合（ＳＴ２３のＹＥＳ）、ＣＰＵ２１は、画像バッファに展開された客用画面をディスプレイ１２１に表示させる（ＳＴ２４：表示制御手段）。また、バックライト１２４を点灯させる（ＳＴ２５）。
【００３５】
しかる後、ＣＰＵ２１は、タイマカウンタＴをチェックする（ＳＴ２６）。ここで、タイマカウンタＴが“０”にリセットされていた場合（ＳＴ２６のＮＯ）、ＣＰＵ２１は、ステップＳＴ２の処理に制御を戻す。そして、ステップＳＴ２以降の処理を再度実行する。
【００３６】
これに対し、タイマカウンタＴが“１”以上にカウントアップされていた場合には（ＳＴ２６のＹＥＳ）、ＣＰＵ２１は、ステップＳＴ１の処理に制御を戻す。そして、タイマカウンタＴを“０”にリセットした後、ステップＳＴ２以降の処理を再度実行する。
【００３７】
一方、ステップＳＴ２３において、表示面１２２に対峙する人間の所在が検知されていない場合には（ＳＴ２３のＮＯ）、ＣＰＵ２１は、タイマカウンタＴをカウントアップする（ＳＴ２７）。そして、タイマカウンタＴが前記所定値Ｘと一致するか否かを判断する（ＳＴ２８）。タイマカウンタＴが所定値Ｘと一致しない場合（ＳＴ２８のＮＯ）、ＣＰＵ２１は、ステップＳＴ２の処理に制御を戻す。そして、ステップＳＴ２以降の処理を再度実行する。
【００３８】
これに対し、タイマカウンタＴが所定値Ｘと一致した場合には（ＳＴ２８のＹＥＳ）、ＣＰＵ２１は、客用画面を消去させる（ＳＴ２９：表示制御手段）。また、バックライト１２４を消去させる（ＳＴ３０）。しかる後、ＣＰＵ２１は、ステップＳＴ２の処理に制御を戻す。そして、ステップＳＴ２以降の処理を再度実行する。なお、客用画面を消去させる場合には、すぐに表示されている画面を消去させるのではなく、一定の時間をかけて表示を消去させるように構成してもよい。
【００３９】
このように制御される表示パネル１２を備えた第１の実施形態の決済装置１においては、表示パネル１２が図１に示す第１のポジションに位置しているとき、店員用画面が編集される。そして、人感センサ１４が人間の所在を検知したとき、つまりはオペレータである店員が装置本体１１の手前側に立った場合に、前記店員用画面がディスプレイ１２１に表示される。また、バックライト１２４が点灯する。したがって、店員は、表示面１２２に表示された店員用画面に従い、例えば決済業務を処理することができる。
【００４０】
ここで、例えば店員が、表示パネル１２を図２または図３に示す第２のポジションまで移動させたとする。そうすると、客用画面が編集される。そして、人感センサ１４が人間の所在を検知したとき、つまりは店員と対面して客が居る場合に、前記客用画面がディスプレイ１２１に表示される。また、バックライト１２４が点灯する。したがって、客は、表示面１２２に表示された客用画面の例えば広告画像を閲覧することができる。
【００４１】
その後、客が離れて人感センサ１４で人間の所在が検出されなくなると、タイマカウンタＴの計時動作が開始される。そして、所定値“Ｘ”を計時するまでの間に、人感センサ１４で人間の所在が検出されないと、客用画面が消去される。また、バックライト１２４も消灯される。したがって、広告画像のような客用画面を見せるべき客が居ないときには、自動的に客用画面が消去されかつバックライト１２４も消灯するので、無駄にエネルギーが消費されることはなく、省電力化を図ることができる。
【００４２】
同様に、表示パネル１２が第１のポジションの位置している場合において、店員が離れると、タイマカウンタＴの計時動作が開始される。そして、所定値“Ｘ”を計時するまでの間に、人感センサ１４で人間の所在が検出されないと、店員用画面が消去される。また、バックライト１２４も消灯される。したがって、店員が不在のときには、自動的に店員用画面が消去されかつバックライト１２４も消灯するので、やはり無駄にエネルギーが消費されることはなく、省電力化を図ることができる。
【００４３】
（第２の実施形態）
第２の実施形態は、第１の実施形態の構成に加えて、制御部２０のＣＰＵ２１が実行するアプリケーションの中で、客用画面であるサイネージ画面を表示させるか否かをソフト的なスイッチによって切替可能としたものである。
【００４４】
第２の実施形態において、決済装置のハードウェア構成は、第１の実施形態と共通である。したがって、図１〜図４をそのまま利用する。また、制御プログラムの手順についても、店員側処理は同じである。このため、図５もそのまま利用する。
【００４５】
第２の実施形態においては、図７に示すように、記憶部であるＲＡＭ２３に、表示時間帯テーブル４１と、表示フラグＦのメモリエリア４２とを形成する。
【００４６】
表示時間帯テーブル４１には、客用画面としてのサイネージ画面をディスプレイ１２１に表示させる時間帯の開始時刻と終了時刻とが予め設定される。なお、時間帯は１パターンに限定されるものではなく、複数パターンの時間帯が表示時間帯テーブル４１に設定されていてもよい。また、サイネージ画面の種類別に時間帯が設定されていてもよい。
【００４７】
表示フラグＦは、サイネージ画面を表示させるか否かを指定する情報であって、本実施形態では、サイネージ画面を表示させる指定の場合に“１”にセットされ、表示させない指定の場合に“０”にリセットされる。
【００４８】
しかして、ＣＰＵ２１は、時計部２４で例えば１分が計時される毎に、図８の流れ図に示す割込処理を実行する。先ず、ＣＰＵ２１は、時計部２４で計時される現在時刻を取得する（ＳＴ４１）。次いで、ＣＰＵ２１は、表示時間帯テーブル４１を検索して、現在時刻がサイネージ画面の表示時間帯内か否かを判別する（ＳＴ４２）。表示時間帯外である場合（ＳＴ４２のＮＯ）、ＣＰＵ２１は、表示フラグＦを“０”にリセットする（ＳＴ４３）。これに対し、表示時間帯内である場合には（ＳＴ４２のＹＥＳ）、ＣＰＵ２１は、表示フラグＦを“１”にリセットする（ＳＴ４４）。
【００４９】
図９は、第２の実施形態において、制御プログラムに従いＣＰＵ２１が実行する客側処理の手順を示す流れ図である。なお、第１の実施形態と共通のステップには同一の符号を付してある。
【００５０】
第２の実施形態が第１の実施形態と異なる点は、ステップＳＴ２３において、人感センサ１４の検出信号により、表示面１２２に対峙する人間の所在が検知されていた場合の処理である。すなわち、人間の所在が検知されている場合（ＳＴ２３のＹＥＳ）、ＣＰＵ２１は、表示フラグＦをチェックする（ＳＴ５１）。ここで、表示フラグＦが“１”にセットされていた場合には（ＳＴ５１のＹＥＳ）、ＣＰＵ２１は、画像バッファに展開された客用画面をディスプレイ１２１に表示させる（ＳＴ２４：表示制御手段）。また、バックライト１２４を点灯させる（ＳＴ２５）。しかる後、ＣＰＵ２１は、タイマカウンタＴをチェックする（ＳＴ２６）。
【００５１】
これに対し、表示フラグＦが“０”にリセットされていた場合には（ＳＴ５１のＮＯ）、ＣＰＵ２１は、上記ステップＳＴ２４，２５，２６の各処理を実行しない。ＣＰＵ２１は、ステップＳＴ２７の処理に進む。そして、タイマカウンタＴをカウントアップし（ＳＴ２７）、タイマカウンタＴが所定値Ｘと一致したならば（ＳＴ２８のＹＥＳ）、ＣＰＵ２１は、サイネージ画面を消去させる（ＳＴ２９：表示制御手段）。また、バックライト１２４を消去させる（ＳＴ３０）。しかる後、ＣＰＵ２１は、ステップＳＴ２の処理に制御を戻す。そして、ステップＳＴ２以降の処理を再度実行する。
【００５２】
このように制御される表示パネル１２を備えた第２の実施形態の決済装置１においては、表示パネル１２が図２または図３に示す第２のポジションに位置しているとき、現在時刻が表示時間帯内であれば、人感センサ１４が人間の所在を検知している間、サイネージ画面が表示される、しかし、表示時間帯から外れると、たとえ人感センサ１４が人間の所在を検知していてもサイネージ画面が消去される。また、バックライト１２４も消灯するので、無駄にエネルギーが消費されることはなく、省電力化を図ることができる。
【００５３】
また、現在時刻が表示時間帯内であっても、人感センサ１４が人間の所在を検知なくなると、サイネージ画面が消去される。また、バックライト１２４も消灯するので、この点からも省電力化を図ることができる。
【００５４】
（第３の実施形態）
第３の実施形態は、第２の実施形態の客側処理において、人感センサ１４に基づく処理を省略したものである。このため、第２の実施形態と共通する部分には同一符号を付して、詳しい説明は省略する。
【００５５】
図１０は、第３の実施形態において、制御プログラムに従いＣＰＵ２１が実行する客側処理の手順を示す流れ図である。なお、第２の実施形態と共通のステップには同一の符号を付してある。
【００５６】
第３の実施形態では、ＣＰＵ２１は、客に表示すべき内容の客用画面、例えば広告用のサイネージ画面を編集した後（ＳＴ２１：画面編集手段）、ＣＰＵ２１は、表示フラグＦをチェックする（ＳＴ５１）。ここで、表示フラグＦが“１”にセットされていた場合には（ＳＴ５１のＹＥＳ）、ＣＰＵ２１は、画像バッファに展開された客用画面をディスプレイ１２１に表示させる（ＳＴ２４：表示制御手段）。また、バックライト１２４を点灯させる（ＳＴ２５）。しかる後、ＣＰＵ２１は、タイマカウンタＴをチェックする（ＳＴ２６）。
【００５７】
これに対し、表示フラグＦが“０”にリセットされていた場合には（ＳＴ５１のＮＯ）、ＣＰＵ２１は、タイマカウンタＴをカウントアップし（ＳＴ２７）、タイマカウンタＴが所定値Ｘと一致したならば（ＳＴ２８のＹＥＳ）、ＣＰＵ２１は、サイネージ画面を消去させる（ＳＴ２９：表示制御手段）。また、バックライト１２４を消去させる（ＳＴ３０）。しかる後、ＣＰＵ２１は、ステップＳＴ２の処理に制御を戻す。そして、ステップＳＴ２以降の処理を再度実行する。なお、サイネージ画面を消去させる場合、すぐに表示されている画面を消去させるのではなく、一定の時間をかけてサイネージ画面を消去させるように構成してもよい。
【００５８】
このように制御される表示パネル１２を備えた第３の実施形態の決済装置１においては、表示パネル１２が図２または図３に示す第２のポジションに位置しているとき、現在時刻が表示時間帯内であれば、サイネージ画面が表示される、しかし、表示時間帯から外れると、サイネージ画面が消去される。また、バックライトが消灯するので、無駄にエネルギーが消費されることはなく、省電力化を図ることができる。
【００５９】
なお、本発明は、前記実施形態に限定されるものではない。  
例えば前記第１の実施形態では、ステップＳＴ４またはステップＳＴ２１にて店員用画面または客用画面を編集した後、人感センサ１４の信号を入力し、人間の所在が検出されたならば、店員用画面または客用画面をディスプレイ１２１に表示させたが、制御手順はこれに限定されるものではない。先に、人感センサ１４の信号を入力し、人間の所在が検出されたならば、店員用画面または客用画面を編集してディスプレイ１２１に表示させるようにしてもよい。
【００６０】
また、ステップＳＴ４またはステップＳＴ２１にて店員用画面または客用画面を編集した後、これらの画面をディスプレイ１２１に表示させる。しかる後、人感センサ１４の信号を入力し、人間の所在が検出されたならば、バックライト１２４を点灯し、人間の所在が検出されなければバックライト１２４を消灯する。このようにバックライト１２４のオン，オフを制御するだけでも、省電力化の効果は奏することができる。
【００６１】
また、前記各実施形態では、客用画面の一例として静止画のサイネージ画面を示したが、動画のサイネージ画像を客用画面としてディスプレイ１２１に表示させる場合も、本発明は適用できるものである。
【００６２】
また、前記各実施形態は、装置内部のプログラム記憶部であるＲＯＭ２２に発明の機能を実現させる制御プログラムが予め記録されているものとした。しかしこれに限らず、同様のプログラムがネットワークから装置にダウンロードされてもよい。あるいは、記録媒体に記録された同様のプログラムが、装置にインストールされてもよい。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００６３】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下に、本願出願の当初の特許請求の範囲に記載された発明を付記する。  
［１］装置本体の第１の面と対向する第１の利用者に対して情報を表示する第１のポジションと前記装置本体の前記第１の面とは異なる第２の面と対向する第２の利用者に対して情報を表示する第２のポジションとの間を表示面が自在に移動する表示器と、前記表示面が前記第１のポジションと前記第２のポジションのどちらに位置しているかを検出する位置センサと、前記第１または第２の利用者が所在するか否かを検知する人感センサと、前記位置センサにより検出される前記表示面のポジションに応じて画面を編集する画面編集手段と、前記位置センサにより前記表示面が前記第１のポジションに位置していることが検出されかつ前記人感センサにより前記第１の利用者が所在していることが検出されると、前記画面編集手段により編集された前記第１のポジションに応じた画面を前記表示面に表示させ、前記位置センサにより前記表示面が前記第２のポジションに位置していることが検出されかつ前記人感センサにより前記第２の利用者が所在していることが検出されると、前記画面編集手段により編集された前記第２のポジションに応じた画面を前記表示面に表示させる表示制御手段と、を具備したことを特徴とする表示装置。
［２］前記第２のポジションに応じた画面を表示させるか否かを指定する情報を記憶する記憶部、をさらに具備し、前記表示制御手段は、前記位置センサにより前記表示面が前記第２のポジションに位置していることが検出されかつ前記人感センサにより前記第２の利用者が所在していることが検出されると、前記記憶部で表示させる旨の情報が記憶されているとき前記画面編集手段により編集された前記第２のポジションに応じた画面を前記表示面に表示させることを特徴とする付記［１］記載の表示装置。
［３］前記第２のポジションに応じた画面は、広告用画面であることを特徴とする付記［１］または［２］記載の表示装置。
［４］前記表示制御手段は、前記人感センサにより前記第１または第２の利用者の所在が検出されなくなると前記表示面に表示される画面を消去することを特徴とする付記［１］乃至［３］のうちいずれか１項に記載の表示装置。
［５］装置本体の第１の面と対向する第１の利用者に対して情報を表示する第１のポジションと前記装置本体の前記第１の面とは異なる第２の面と対向する第２の利用者に対して情報を表示する第２のポジションとの間を表示面が自在に移動する表示器と、前記表示面が前記第１のポジションと前記第２のポジションのどちらに位置しているかを検出する位置センサと、前記位置センサにより検出される前記表示面のポジションに応じて画面を編集する画面編集手段と、前記第２のポジションに応じた画面を表示させるか否かを指定する情報を記憶する記憶部と、前記位置センサにより前記表示面が前記第１のポジションに位置していることが検出されると、前記画面編集手段により編集された前記第１のポジションに応じた画面を前記表示面に表示させ、前記位置センサにより前記表示面が前記第２のポジションに位置していることが検出されると、前記記憶部で表示させる旨の情報が記憶されているとき前記画面編集手段により編集された前記第２のポジションに応じた画面を前記表示面に表示させる表示制御手段と、を具備したことを特徴とする表示装置。
［６］装置本体の第１の面と対向する第１の利用者に対して情報を表示する第１のポジションと前記装置本体の前記第１の面とは異なる第２の面と対向する第２の利用者に対して情報を表示する第２のポジションとの間を表示面が自在に移動する表示器を備えたコンピュータに、前記表示面が前記第１のポジションと前記第２のポジションのどちらに位置しているかを検出する位置センサの検出信号を入力する機能と、前記第１または第２の利用者が所在するか否かを検知する人感センサの検出信号を入力する機能と、前記位置センサの検出信号から特定される前記表示面のポジションに応じて画面を編集する機能と、前記位置センサの検出信号から前記表示面が前記第１のポジションに位置していることが特定されかつ前記人感センサの検出信号から前記第１の利用者が所在していることが特定されると、前記画面編集機能により編集された前記第１のポジションに応じた画面を前記表示面に表示させ、前記位置センサの検出信号から前記表示面が前記第２のポジションに位置していることが特定されかつ前記人感センサの検出信号から前記第２の利用者が所在していることが特定されると、前記画面編集機能により編集された前記第２のポジションに応じた画面を前記表示面に表示させる機能と、を実現させるための制御プログラム。
【符号の説明】
【００６４】
１…決済装置、１１…装置本体、１２…表示パネル、１３…位置センサ、１４…人感センサ、２０…制御部、２１…ＣＰＵ、１２１…ディスプレイ、１２２…表示面、１２３…タッチパネル、１２４…バックライト。
【図１】
0005663463.tif 000002
【図２】
0005663463.tif 000003
【図３】
0005663463.tif 000004
【図４】
0005663463.tif 000005
【図５】
0005663463.tif 000006
【図６】
0005663463.tif 000007
【図７】
0005663463.tif 000008
【図８】
0005663463.tif 000009
【図９】
0005663463.tif 000010
【図１０】
0005663463.tif 000011